(57)【要約】【解決手段】プローブが、生体組織に貫入するように構成されたプローブ本体を有する。高効率光源がプローブ本体内に配置される。各高効率光源が、隣接組織において光感受性反応を引き起こすのに十分な強度の光出力を有し、複数の光源の複合熱出力が隣接組織において破壊的温度上昇を生じさせるように十分に低いパワー出力を有する。【選択図】図１
2021511100.tif 000002
【特許請求の範囲】
【請求項１】
プローブであって、
生体組織に貫入するように構成されたプローブ本体と、
前記プローブ本体内に配置された複数の高効率光源と
を含み、各高効率光源が隣接組織において光感受性反応を引き起こすのに十分な強度の光出力を有し、複数の光源の複合熱出力が前記隣接組織において破壊的温度上昇を生じさせるように十分に低いパワー出力を有する、プローブ。
【請求項２】
前記複数の高効率光源が発光ダイオード（ＬＥＤ）である、請求項１に記載のプローブ。
【請求項３】
少なくとも１つのＬＥＤが電磁スペクトルの赤色または赤外部分内の光を出力し、少なくとも１つのＬＥＤが電磁スペクトルの青色、黄色または緑色部分の光を出力する、請求項２に記載のプローブ。
【請求項４】
電磁スペクトルの赤色または赤外部分内の光を出力する前記少なくとも１つのＬＥＤは、
ゲルマニウム基板と、
少なくとも１つのＩｎ０．４９Ｇａ０．５１Ｐのｎ型ドープ層と、
少なくとも１つのＩｎ０．４９Ｇａ０．５１Ｐの真性層と、
ｘが約０．５０と約０．６０の間の値であるＩｎｘＧａ（１−ｘ）Ｐの井戸層と、
少なくとも１つのＩｎ０．４９Ｇａ０．５１Ｐのｐ型ドープ層と
を含む、請求項３に記載のプローブ。
【請求項５】
電磁スペクトルの青色、黄色、または緑色部分内の光を出力する前記少なくとも１つのＬＥＤは、
窒化ガリウムとサファイアとからなるグループから選択された材料からなる基板と、
少なくとも１つの窒化ガリウムのｎ型ドープ層と、
少なくとも１つの窒化ガリウムの真性層と、
ｘが約０．１０と約０．５０の間の値であるＩｎｘＧａ（１−ｘ）Ｎの井戸層と、
少なくとも１つの窒化ガリウムのｐ型ドープ層と
を含む、請求項３に記載のプローブ。
【請求項６】
前記複数の高効率光源のそれぞれが少なくとも約１０ｍＷ／ｍｍ２の光出力を有する、請求項１ないし５のいずれかに記載のプローブ。
【請求項７】
前記複数の高効率光源のそれぞれが、隣接組織において活性時に約０．０２２℃と約０．０４１℃の間の温度上昇を生じさせる、請求項１ないし６のいずれかに記載のプローブ。
【請求項８】
各ＬＥＤが約１μＡと約１ｍＡの間の電流範囲において約０．９と１の間の外部量子効率を有する、請求項１ないし７のいずれかに記載のプローブ。
【発明の詳細な説明】
【技術分野】
【０００１】
本発明は、一般にはオプトジェネティクスに関し、より詳細には、局部組織を過熱させることなく神経細胞を活性化させるための複数の効率的光源を有する神経プローブに関する。
【背景技術】
【０００２】
オプトジェネティクスの分野は、光感受性を呈するように生体を遺伝子的に改変し、生体における神経細胞の選択的な制御を可能にすることを含む。オプトジェネティクスは、これによって、生体内の特定の生物学的プロセスを直接引き起こし、観察することができるようにする。
【０００３】
神経細胞のこの光トリガを実現するために、例えば発光ダイオードを含む神経プローブが使用される。発光ダイオードは、近傍の神経細胞に光を照射して、それらの神経細胞を活性化させる。しかし、この技術は、発光ダイオード内の発熱によって制約される。具体的には、わずか２℃の温度上昇が神経組織の挙動を損なうことがある。
【発明の概要】
【発明が解決しようとする課題】
【０００４】
したがって、当技術分野では上記の問題に対処する必要がある。
【課題を解決するための手段】
【０００５】
第１の観点から見ると、本発明は、生体組織に貫入するように構成されたプローブ本体と、上記プローブ本体内に配置された複数の高効率光源とを含み、各高効率光源が隣接組織において光感受性反応を引き起こすのに十分な強度の光出力を有し、複数の光源の複合熱出力が上記隣接組織において破壊的温度上昇を生じさせるように十分に低いパワー出力を有するプローブを提供する。
【０００６】
他の観点から見ると、本発明は、生体組織に貫入するように構成されたプローブ本体と、上記プローブ本体内に配置された複数の高効率発光ダイオード（ＬＥＤ）とを含むプローブであって、少なくとも１つのＬＥＤが電磁スペクトルの赤色または赤外部分内の光を出力し、少なくとも１つのＬＥＤが電磁スペクトルの青色、黄色または緑色部分内の光を出力し、各高効率ＬＥＤが、隣接組織において光感受性反応を引き起こすのに十分な強度の光出力を有し、各ＬＥＤが、複数のＬＥＤの複合熱出力が上記隣接組織において破壊的温度上昇を生じさせるように十分に低いパワー出力を有する、プローブを提供する。
【０００７】
別の観点から見ると、本発明は、生体組織に貫入するように構成されたプローブ本体と、上記プローブ本体内に配置された複数の高効率光源とを含むプローブであって、各高効率光源が少なくとも１０ｍＷ／ｍｍ２の光出力を有し、上記複数の高効率光源のそれぞれが、隣接組織において活性時に約０．０２２℃と約０．０４１℃の間の温度上昇を生じさせるように、各高効率光源が十分に低いパワー出力を有するプローブを提供する。
【０００８】
プローブが、生体組織に貫入するように構成されたプローブ本体を含む。高効率光源がプローブ本体内に配置される。各高効率光源は、隣接組織において光感受性反応を引き起こすのに十分な強度の光出力を有し、複数の光源の複合熱出力が隣接組織において破壊的温度上昇を生じさせるように十分に低いパワー出力を有する。
【０００９】
プローブが、生体組織に貫入するように構成されたプローブ本体を含む。高効率発光ダイオード（ＬＥＤ）がプローブ本体内に配置される。少なくとも１つのＬＥＤが電磁スペクトルの赤色または赤外部分内の光を出力し、少なくとも１つのＬＥＤが電磁スペクトルの青色、黄色、または緑色部分内の光を出力する。各高効率ＬＥＤは、隣接組織において光感受性反応を引き起こすのに十分な強度の光出力を有し、各ＬＥＤは複数のＬＥＤの複合熱出力が隣接組織内で破壊的温度上昇を生じさせるように十分に低いパワー出力を有する。
【００１０】
プローブが、生体組織に貫入するように構成されたプローブ本体を含む。高効率光源がプローブ本体内に配置される。各高効率光源は、少なくとも１０ｍＷ／ｍｍ２の光出力を有し、高効率光源のそれぞれが、隣接組織において活性時に約０．０２２℃と約０．０４１℃の間の温度上昇を生じさせるように十分に低いパワー出力を有する。
【００１１】
上記およびその他の特徴および利点は、添付図面とともに以下の例示の実施形態の詳細な説明を読めばわかるであろう。
【００１２】
以下の説明では、以下の図面を参照しながら好ましい実施形態の詳細を示す。
【図面の簡単な説明】
【００１３】
【図１】本発明の一実施形態による、複数の高効率光源を有する神経プローブを示す図である。
【図２】本発明の一実施形態による高効率光源を示す断面図である。
【図３】本発明の一実施形態による高効率光源を示す断面図である。
【図４】本発明の一実施形態によるプローブ制御システムを示すブロック図である。
【図５】本発明の一実施形態による処理システムを示すブロック図である。
【発明を実施するための形態】
【００１４】
本発明の実施形態は、高効率光源を備えた神経プローブを提供する。これらの高効率光源は、従来の発光ダイオードよりも発熱が少なく、それによって、各光源が異なる波長を発する複数のそのような光源を単一のプローブに含めることを可能にする。その結果、一度に複数の異なる波長感受性を使用することができ、それによって、組織温度の破壊的上昇を生じさせずに、単一のプローブで神経細胞の異なる組を選択的に活性化することができるようにする。
【００１５】
次に、図面を参照すると、同様の数字が同じかまたは類似した要素を示しており、まず図１を参照すると、神経プローブ１００が示されている。プローブ１００は、複数の高効率光源１０４を備えたプローブ本体１０２を含む。なお、光源１０４は、任意の適切な種類のものであってよく、プローブ本体１０２の長さに沿った任意の適切な場所にあってよいが、光源１０４は、プローブ先端１０６付近に高効率発光ダイオード（ＬＥＤ）として形成することができることが特に企図されていることを理解されたい。制御／電力線１０８も図示されており、光源１０４に給電する電流を供給するとともに、任意により光源１０４に制御信号も供給する。
【００１６】
プローブ本体１０２は、例えば、ガラス、サファイア、またはチタンを含む、任意の適切な生体適合性物質で形成することができ、生体組織に貫入するように構成された形状および大きさであることを理解されたい。光源１０４と制御／電力線１０８とは、任意の適切な生体適合性機構（例えば接着剤または接合剤）によってプローブ１００に取り付けることができ、実施形態によっては、プローブ１００上の所定位置に作り込むこともできる。別の実施形態では、プローブ本体１０２は、プリント回路基板上に形成することができ、次にプリント回路基板は、光源１０４からの光が周囲の組織に達することができるように透明な生体適合性物質に入れられる。プローブ１００は、生体組織、具体的には神経組織に貫入するように設計されることが特に企図される。したがって、プローブ１００の直径は、ごく小さい必要があり、プローブ・ポイント１０６は先鋭である必要がある。また、プローブ本体１０２は、貫入の過程で損傷しないようにそのような組織に貫入するのに十分な耐久性を備えて形成される必要がある。
【００１７】
異なる神経組織が、異なる波長および異なる光強度で活性化されるように操作される。光源１０４の例示の波長は、約１８５０ｎｍから約２１２０ｎｍの範囲であるが、この範囲より上または下の波長も使用可能であることを理解されたい。刺激閾値が、神経細胞を活性化するのに必要なエネルギー密度を表し、神経細胞の種類に応じて約１．６ｍＪ／ｃｍ２と約１６９０４ｍＪ／ｃｍ２の間とすることができる。光を使用して、興奮または抑制膜電流を介して細胞内の膜電位を変化させる変化をタンパク質内で引き起こすことができる。細胞を調整するこの機能は、臨床前研究で有用性が実証されており、とりわけパーキンソン病、てんかん、慢性疼痛、依存症およびうつ病などの病気の治療に大きな可能性を有する。なお、本プローブ１００は、人間にも他の動物にも使用可能であることを理解されたい。
【００１８】
次に図２を参照すると、光源１０４の例示の構造が示されている。この実施形態では、光源１０４は、低出力ＬＥＤとして実装される。光源１０４の各層は、例えば、化学蒸着（ＣＶＤ）、物理蒸着（ＰＶＤ）、原子層堆積（ＡＬＤ）、またはガス・クラスタ・イオン・ビーム（ＧＣＩＢ）付着を含む、任意の適切な付着プロセスによって順次に付着させることができる。
【００１９】
ＣＶＤは、室温より高い温度（例えば約２５℃から約９００℃）での気体反応物質間の化学反応の結果として付着種が形成される付着プロセスである。反応の固体生成物を、固体生成物の膜、コーティング、または層を形成させる表面上に付着させる。ＣＶＤプロセスの種類には、大気圧ＣＶＤ（ＡＰＣＶＤ）、低圧ＣＶＤ（ＬＰＣＶＤ）、プラズマＣＶＤ（ＰＥＣＶＤ）、および有機金属ＣＶＤ（ＭＯＣＶＤ）が含まれるが、これらには限定されず、これらの組み合わせも採用可能である。ＰＶＤを使用する別の実施形態では、スパッタリング装置が直流ダイオード・システム、高周波スパッタリング、マグネトロン・スパッタリング、またはイオン化金属プラズマ・スパッタリングを含み得る。ＡＬＤを使用する別の実施形態では、化学前駆体が一度に１つずつ材料の表面と反応して表面上に薄膜を付着させる。ＧＣＩＢ付着を使用する別の実施形態では、真空中で高圧ガスを膨張させ、その後、クラスタに凝縮させる。クラスタは、イオン化させて表面に照射することができ、それによって高異方性の付着物を形成することができる。
【００２０】
適切な半導体材料から半導体基板２０２が形成される。本実施形態では、半導体基板２０２は、ＩＩＩ−Ｖ族化合物半導体材料から形成することができることが特に企図されているが、代わりにＩＶ族半導体材料を使用することもできることを理解されたい。「ＩＩＩ−Ｖ族化合物半導体」という用語は、元素周期表のＩＩＩ族（すなわち、国際純正・応用化学連合（ＩＵＰＡＣ）の１３族）の少なくとも１つの元素と、元素周期表のＶ族（すなわち、ＩＵＰＡＣの１５族）の少なくとも１つの元素とを含む半導体材料を指す。これは、例えばシリコン、ゲルマニウム、およびこれらの化合物など、元素周期表のＩＶ族（すなわちＩＵＰＡＣの１４族）の単一元素からなるＩＶ族半導体とは対照をなす。典型的には、ＩＩＩ−Ｖ族化合物半導体は、ＩＩＩ／Ｖ族元素を含む二元、三元、または四元合金である。本発明で使用可能なＩＩＩ−Ｖ族化合物半導体の例には、ガリウム・ヒ素、アルミニウム・ヒ素、インジウム・ガリウム・ヒ素、インジウム・アルミニウム・ヒ素、インジウム・アルミニウム・ヒ素アンチモン、インジウム・アルミニウム・ヒ素リン、インジウム・ガリウム・ヒ素リン、テルル化カドミウム、セレン化亜鉛の合金、およびこれらの組み合わせが含まれるが、これらには限定されない。本発明で使用可能なＩＶ族半導体の例には、シリコン、ゲルマニウム、シリコン・ゲルマニウム、シリコン・ゲルマニウム・カーバイド、シリコン・カーバイド、ポリシリコン、エピタキシャル・シリコン、アモルファス・シリコン、およびこれらの多層を含むが、これらには限定されない。
【００２１】
次に、半導体基板２０２上に半導体層の積層が形成される。積層は、ｐ型ドープ、真性、またはｎ型ドープの３種類の導電型のうちの１つに従ってドープされる。個々の層は、例えばイオン注入によってドープされてもよく、または付着中にその場でドープされてもよい。真性半導体材料は、ドーパントをまったく使用しない材料である。本明細書で使用する「ｐ型」とは、価電子の欠乏を生じさせる、真性半導体への不純物の添加を指す。シリコン含有基板では、ｐ型ドーパント、すなわち不純物の例には、ボロン、アルミニウム、ガリウムおよびインジウムが含まれるが、これらには限定されない。本明細書使用する「ｎ型」とは、真性半導体に自由電子を供給する不純物の添加を指す。シリコン含有基板では、ｎ型ドーパント、すなわち不純物の例には、アンチモン、ヒ素、およびリンが含まれるが、これらには限定されない。ＩＩＩ−Ｖ族化合物半導体材料を使用する場合、ＩＩ族からの原子が、ＩＩＩ族原子の場所を占有する際にアクセプタ、すなわちｐ型として機能し、一方、ＶＩ族の原子が、Ｖ族の原子を置換する際にドナー、すなわちｎ型として機能する。シリコンなどのＩＶ族のドーパント原子は、それぞれＩＩＩ族原子とＶ族原子のいずれの原子の場所を占有するかに応じて、アクセプタまたはドナーとして機能することができる特性を有する。
【００２２】
基板２０２上に高濃度ドープｎ型半導体層２０４が形成される。高濃度ドープｎ型半導体層２０４は、例えばガリウム・ヒ素で形成することができ、約５×１０１８ｃｍ−３のドーパント濃度を有し得ることが特に企図される。高濃度ドープｎ型半導体層２０４の上に低ドーパント濃度のｎ型半導体層２０６が形成され、約１×１０１８ｃｍ−３のドーパント濃度のリン化インジウム・ガリウムからなる。低濃度ｎ型層２０６は、約２００ｎｍの例示の厚さを有する。
【００２３】
次に、ｎ型層２０４および２０６の上に１組の真性層が形成される。第１の真性層２０８は、非ドープのリン化インジウム・ガリウムからなり、約５０ｎｍの厚さを有する。第２の真性層２１０は、非ドープのインジウム・ガリウム・ヒ素からなる。第３の真性層２１２は、非ドープのリン化インジウム・ガリウムからなり、約５０ｎｍの厚さを有する。
【００２４】
次に、真性層２０８、２１０および２１２の上に１組のｐ型層が形成される。第３の真性層２１２の上に第１のｐ型層２１４が形成され、約１×１０１８ｃｍ−３のドーパント濃度でｐ型ドープされたリン化インジウム・ガリウムからなる。第１のｐ型層は、約２００ｎｍの厚さを有する。第１のｐ型層２１４の上に第２の高濃度ドープｐ型層２１６が形成され、約５×１０１８ｃｍ−３のドーパント濃度のｐ型ドープ・ガリウムヒ素からなる。第２のｐ型層２１６は、約３０ｎｍの厚さを有し、ＬＥＤ１０４の上部電気接点として機能する。
【００２５】
このＬＥＤ構造は、特に低出力、高効率の光源を提供する。具体的には、このＬＥＤは、約１μＡと約１ｍＡの間の範囲の最大効率をもたらすことが測定されている。具体的には、図の光源１０４は、この電流範囲で約０．９と１の間の外部量子効率を示す。外部量子効率は、デバイスを通過する電子の数に対するＬＥＤから放出される光子の数の比を表し、デバイスが入来電荷をどれだけ効率的に放出光子に変換するかを実質的に表し、値１が完璧な効率を示す。この優れた効率の結果、本実施形態の光源１０４が生じさせる周囲組織の温度変化は、従来のプローブが生じさせる温度変化の約１００分の１である。
【００２６】
次に図３を参照すると、光源１０４の構造の別の実施形態が示されている。この構造は、低注入電流を取り込み、青色、黄色または緑色波長（すなわち、電磁スペクトルの青色、黄色または緑色部分）を出力する、生体適合性の高効率ＬＥＤのために特に企図されている。上記のように、例えばＣＶＤ、ＰＶＤ、ＡＬＤ、またはＧＣＩＢ付着を含む、任意の適切な付着プロセスによって光源１０４の層を順次に付着させることができる。図３に従って形成された光源１０４は、図２に示す光源によって得られる量子効率とほぼ同等の高い量子効率を有する。
【００２７】
基板３０２が、例えば窒化ガリウムまたはサファイア（例えば酸化アルミニウム）材料で形成される。基板３０２上に高濃度ｎ型ドープ緩衝層３０４が形成され、例えば約２０ｎｍと約１，０００ｎｍの間の厚さの窒化ガリウムを含み得る。高濃度ｎ型ドープ緩衝層３０４は、デバイスの下部電気接点として機能することができる。次に、緩衝層３０４上に、高濃度ドープ緩衝層３０４で使用されているよりも低濃度のドーパント濃度を有し、約１００ｎｍと約１，０００ｎｍの間の厚さを有するｎ型半導体層３０６が形成される。なお、窒化ガリウムなどのＩＩＩ−Ｖ族半導体材料は、約１・１０１８ｃｍ−３から約１・１０２０ｃｍ−３のオーダーのドーパント濃度でシリコンをドーパントとして使用することができることを理解されたい。「高濃度ドープ」層は、より多数の自由電荷担体を有するため、より高い導電率を有する。シリコンの代わりに任意の他の適切な従来のドーパント材料を使用してもよい。
【００２８】
次に、ｎ型層上に１組の真性層が形成される。約２０ｎｍと約１００ｎｍの間の厚さの真性窒化ガリウムで障壁層３０８が形成されてもよい。次に、障壁層３０８の上に窒化インジウム・ガリウム（ＩｎｘＧａ（１−ｘ）Ｎ、ただしｘ＝０．１０〜０．５０）で厚さ約２ｎｍから約１０ｎｍの井戸層３１０が形成される。井戸層３１０上に、真性窒化ガリウムで約２０ｎｍから約１００ｎｍの厚さの第２の障壁層３１２が形成される。次に、障壁層３１２上に、約１００ｎｍと約１，０００ｎｍの間の厚さのｐ型層３１４が、例えば窒化ガリウムで形成される。上部ｐ型層３１４は、デバイスの上部電気接点の役割を果たすことができる。ｐ型ドープ層を形成するために任意の適切な従来のドーパント材料を使用してもよい。
【００２９】
別の実施形態では、赤色または赤外波長（すなわち、電磁スペクトルの赤色または赤外部分）を出力する低出力ＬＥＤを作製するために異なる材料を使用した図３の構造を使用することができる。このような実施形態では、基板３０２がゲルマニウムで形成されてもよい。緩衝層３０４は、高濃度ドープｎ型インジウム・ガリウム・リン（Ｉｎ０．４９Ｇａ０．５１Ｐ）で形成されてよく、より低いドーパント濃度を有する低濃度ドープｎ型半導体層３０６がＩｎ０．４９Ｇａ０．５１Ｐで形成されてもよい。第１の真性障壁層３０８と第２の真性障壁層３１２とを同様にＩｎ０．４９Ｇａ０．５１Ｐで形成することができ、一方、わずかに異なる組成を有するインジウム・ガリウム・リン（例えば、ＩｎｘＧａ（１−ｘ）Ｐ、ただしｘ＝０．５０〜０．６０）で井戸層３１０が形成されてもよい。次に、Ｉｎ０．４９Ｇａ０．５１Ｐで高濃度ドープｐ型半導体層３１４を形成してもよい。
【００３０】
光源１０４のこの実施形態は、生体適合性物質（例えば、窒化ガリウムまたはインジウム・ガリウム・リン）を使用し、生体有害物質（例えばヒ素）を避ける。１００μｍの神経細胞を活性化するのに必要な出力パワーは、約１０ｍＷ／ｍｍ２である。このパワー・レベルでは、図３の構造によって実現される光源１０４は従来のＬＥＤの約１０倍から約１００倍、効率が高く、それによって近傍組織の加熱を大幅に低減する。具体的には、従来のＬＥＤによって生じる温度上昇は約２．２℃から約４．１℃であるのに対し、本実施形態によって生じる温度上昇は１００分の１（例えば約０．０２２℃から約０．０４１℃）である。
【００３１】
本発明の態様についてある例示のアーキテクチャを用いて説明するが、本発明の態様の範囲内で他のアーキテクチャ、構造、基板材料およびプロセス特徴、および工程に異ならせ得ることを理解されたい。
【００３２】
また、層、領域、または基板などの要素が別の要素「上」または「の上」にあるという場合、その要素はその別の要素の直接上にあるかまたは介在要素も存在し得ることはわかるであろう。それに対して、ある要素が別の要素の「直接上」または「の直接上」にあるという場合、介在要素は存在しない。また、ある要素が別の要素に「接続される」または「結合される」という場合、その要素はその別の要素に直接接続または結合されているか、または介在要素が存在し得ることはわかるであろう。それに対して、ある要素が別の要素に「直接接続される」または「直接結合される」という場合、介在要素は存在しない。
【００３３】
本実施形態は、グラフィカル・コンピュータ・プログラミング言語で作成可能であって（ディスク、テープ、物理ハード・ドライブ、またはストレージ・アクセス・ネットワークにおけるものなどの仮想ハード・ドライブなどの）コンピュータ記憶媒体に記憶可能な、集積回路チップの設計を含み得る。設計者がチップ、またはチップを製作するために使用されるフォトリソグラフィ・マスクを製作しない場合、設計者は結果の設計を物理的手段によって（例えば設計を記憶した記憶媒体の複製を提供することによって）または電子的に（例えばインターネットを介して）、直接または間接的にそのような実体に送ることができる。記憶された設計は次に、典型的には、ウエハ上に形成される対象チップ設計の複数の複製を含む、フォトリソグラフィ・マスクの製作のために適切な形式（例えばＧＤＳＩＩ）に変換される。フォトリソグラフィ・マスクは、エッチングまたはその他の方法で加工されるウエハ（またはその上の層あるいはその両方）の領域を画定するために使用される。
【００３４】
本明細書に記載の方法は、集積回路チップの製作で使用することができる。結果の集積回路チップは、製作者によってロー・ウエハの形態で（すなわち、複数のパッケージ化されていないチップを有する単一ウエハとして）、ベア・ダイとして、またはパッケージ化された形態で、配布することができる。後者の場合、チップは単一チップ・パッケージ（マザーボードまたはその他のより上位のキャリアに取り付けられたリード線を備えたプラスチック・キャリアなど）に、またはマルチチップ・パッケージ（表面相互接続配線または埋め込み相互接続配線のいずれかまたは両方を有するセラミック・キャリアなど）に実装される。いずれの場合も、チップは次に、（ａ）マザーボードなどの中間製品、または（ｂ）最終製品のいずれかの一部として、他のチップ、個別回路素子、またはその他の信号処理デバイスあるいはこれらの組み合わせとともに集積される。最終製品は、玩具およびその他のローエンド用途から、ディスプレイ、キーボードまたはその他の入力デバイスおよび中央処理装置を有する高性能コンピュータ製品までにわたる、集積回路チップを含む任意の製品とすることができる。
【００３５】
材料化合物については、元素の列挙、例えばＳｉＧｅを用いて記載することも理解されたい。これらの化合物は、化合物中に異なる割合の元素を含み、例えばＳｉＧｅはＳｉｘＧｅ１−ｘを含み、ここでｘは１以下などである。また、その化合物に他の元素が含まれてもよく、その場合でも提示の原理に従って機能することができる。追加の元素を含む化合物を本明細書では合金と呼ぶ。
【００３６】
本明細書で「一実施形態」または「ある実施形態」およびこれらのその他の変形に言及する場合、その実施形態に関連して記載されている特定の特徴、構造、特性などが少なくとも１つの実施形態に含まれることを意味する。したがって、本明細書全体の様々な箇所で記載されている「一実施形態では」または「ある実施形態では」という語句およびこれらの変形の記載は、必ずしもすべてが同じ実施形態を指しているとは限らない。
【００３７】
例えば、「Ａ／Ｂ」、「ＡまたはＢあるいはその両方」および「ＡとＢのうちの少なくとも１つ」という場合における「／」、「または〜あるいはその両方」、および「〜のうちの少なくとも１つの」のうちのいずれかの使用は、最初に記載されている選択肢（Ａ）のみの選択、または２番目に記載されている選択肢（Ｂ）のみの選択、または両方の選択肢（ＡとＢ）の選択を包含することが意図されていることを理解されたい。別の例として、「Ａ、ＢまたはＣあるいはこれらの組み合わせ」および「ＡとＢとＣとのうちの少なくとも１つ」という場合、そのような表現は、最初に記載されている選択肢（Ａ）のみの選択、または２番目に記載されている選択肢（Ｂ）のみの選択、または３番目に記載されている選択肢（Ｃ）のみの選択、または最初と２番目に記載されている選択肢（ＡとＢ）のみの選択、または最初と３番目に記載されている選択肢（ＡとＣ）のみの選択、または２番目と３番目に記載されている選択肢（ＢとＣ）のみの選択、または３つの選択肢すべて（ＡとＢとＣ）の選択を包含することが意図されている。これは、当業者および関連業者には容易にわかるように、記載されている項目の数だけ拡大適用することができる。
【００３８】
本明細書で使用されている用語は特定の実施形態について説明することを目的としているに過ぎず、例示の実施形態を限定することを意図していない。本明細書で使用する単数形の「ａ」、「ａｎ」および「ｔｈｅ」は、文脈が明らかに他の解釈を示していない限り複数形も含むことが意図されている。また、用語「備える（ｃｏｍｐｒｉｓｅｓ）」、「備えている（ｃｏｍｐｒｉｓｉｎｇ）」、「含む（ｉｎｃｌｕｄｅｓ）」、または「含んでいる（ｉｎｃｌｕｄｉｎｇ）」あるいはこれらの組み合わせが本明細書で使用されている場合、記載されている特徴、整数、工程、操作、要素、または構成要素あるいはこれらの組み合わせの存在を規定するが、１つまたは複数の他の特徴、整数、工程、操作、要素、または構成要素あるいはこれらのグループの存在または追加を排除しないことはわかるであろう。
【００３９】
「下」、「下方」、「下部」、「上」、「上部」などの空間的に相対的な用語は、本明細書では、図に示されているような１つの要素または特徴の別の要素または特徴に対する関係を説明するための説明を簡単にするために使用されていることがある。これらの空間的に相対的な用語は、図に図示されている向きに加えて、使用中または動作中のデバイスの異なる向きも包含することが意図されていることはわかるであろう。例えば、図中のデバイスがひっくり返された場合、他の要素または特徴の「下」または「下方」にあるとして記載されている要素は、その他の要素または特徴の「上」の向きとなる。したがって、「下」という用語は、上と下の向きの両方を包含し得る。デバイスは、他の向き（９０℃回転またはその他の向き）とすることも可能であり、本明細書で使用されている空間的に相対的な記述語はそれに応じて解釈することができる。さらに、ある層が２つの層の「間」にあるという場合、その層はその２つの層の間にある唯一の層であってよく、または１つまたは複数の介在層も存在し得ることもわかるであろう。
【００４０】
本明細書では、様々な要素について説明するために第１、第２などの用語を使用することがあるが、これらの要素はこれらの用語によって限定されるべきではないことはわかるであろう。これらの用語は、１つの要素を別の要素から区別するためにのみ使用されているに過ぎない。したがって、提示の概念の範囲から逸脱することなく、以下で説明されている第１の要素を第２の要素と称することも可能である。
【００４１】
次に図４を参照すると、プローブ制御システム４００が示されている。プローブ制御システム４００は、ハードウェア・プロセッサとメモリ４０４とを含む。プローブ・インターフェース４０６が、プローブ制御システム４００とプローブ１００との間の物理通信インターフェースを提供する。電源４０８が、プローブ・インターフェース４０６を介してプローブ１００に電力を供給し、バッテリまたはその他のＤＣ電源の形態をとることができ、あるいは、ＡＣ電力をプローブ１００に適した形態に変換するための適合する回路を含んでもよい。プローブ・インターフェース４０６は、電力と制御信号とを供給する、プローブ１００への有線接続を有することができることが特に企図されるが、プローブ１００がローカル電源を有する実施形態では無線インターフェースを使用することができることも企図される。他の実施形態では、プローブ制御システム４００は、プローブ１００の本体に直接組み込まれていてもよい。
【００４２】
プローブ制御モジュール４０８が、ある実施形態では、メモリ４０４に記憶され、プロセッサ４０２によって実行される、ソフトウェアの形態で実装される。他の実施形態では、プローブ制御モジュール４０８は、例えば特定用途向け集積チップまたはフィールド・プログラマブル・ゲート・アレイの形態の、１つまたは複数の個別ハードウェア構成要素として実装されてもよい。プローブ制御モジュール４０８は、プローブ・インターフェース４０６を介してプローブ１００にコマンド信号を送信し、特定の光源１０４を起動および作動停止するためと、その光出力を制御するためとに使用することができる。プローブ制御モジュール４０８は、これらのコマンドを人間の操作者の指示で出すことができ、あるいはそのようなコマンドを自動的に出すこともできることを理解されたい。
【００４３】
次に図５を参照すると、送信側デバイス１００または受信側デバイス１２０を表し得る例示の処理システム５００が示されている。処理システム５００は、システム・バス５０２を介して他の構成要素に動作可能に結合された少なくとも１つのプロセッサ（ＣＰＵ）５０４を含む。キャッシュ５０６と、読み取り専用メモリ（ＲＯＭ）５０８と、ランダム・アクセス・メモリ（ＲＡＭ）５１０と、入力／出力（Ｉ／Ｏ）アダプタ５２０と、音声アダプタ５３０と、ネットワーク・アダプタ５４０と、ユーザ・インターフェース・アダプタ５５０と、ディスプレイ・アダプタ５６０とが、システム・バス５０２に動作可能に結合されている。
【００４４】
第１のストレージ・デバイス５２２と第２のストレージ・デバイス５２４が、Ｉ／Ｏアダプタ５２０を介してシステム・バス５０２に動作可能に結合されている。ストレージ・デバイス５２２および５２４は、ディスク・ストレージ・デバイス（例えば磁気または光ディスク・ストレージ・デバイス）、ソリッド・ステート磁気デバイスなどのいずれであってもよい。ストレージ・デバイス５２２と５２４は、同じ種類のストレージ・デバイスであっても異なる種類のストレージ・デバイスであってもよい。
【００４５】
スピーカ５３２が、音声アダプタ５３０によってシステム・バス５０２に動作可能に結合されている。送受信機５４２が、ネットワーク・アダプタ５４０によってシステム・バス５０２に動作可能に接続されている。ディスプレイ・デバイス５６２が、ディスプレイ・アダプタ５６０によってシステム・バス５０２に動作可能に結合されている。
【００４６】
第１のユーザ・入力デバイス５５２と、第２のユーザ入力デバイス５５４と、第３のユーザ入力デバイス５５６とが、ユーザ・インターフェース・アダプタ５５０によってシステム・バス５０２に動作可能に結合されている。ユーザ入力デバイス５５２、５５４、および５５６は、キーボード、マウス、キーパッド、撮像装置、動作検知装置、マイクロフォン、これらのデバイスのうちの少なくとも２つの機能を組み込んだデバイスなどのうちのいずれかとすることができる。当然ながら、提示の原理の範囲を維持しながら他の種類の入力デバイスも使用可能である。ユーザ入力デバイス５５２、５５４および５５６は、同じ種類のユーザ入力デバイスまたは異なる種類のユーザ入力デバイスとすることができる。ユーザ入力デバイス５５２、５５４および５５６は、システム５００との間で情報を入出力するために使用される。
【００４７】
当然ながら、当業者には容易に企図されるように、処理システム５００は、他の要素（図示せず）も含むことができ、また、特定の要素を省くこともできる。例えば、当業者には容易にわかるように、処理システム５００の特定の実施態様に応じて、様々な他の入力デバイスまたは出力デバイスあるいはその両方を処理システム５００に含めることができる。例えば、様々な種類の無線または有線あるいはその両方の、入力デバイスまたは出力デバイスあるいはその両方を使用することができる。また、当業者には容易にわかるように、追加のプロセッサ、コントローラ、メモリなども、様々な構成で使用することができる。本明細書で示されている提示の原理の教示があれば、処理システム５００の上記およびその他の様々な変形が当業者によって容易に企図可能である。
【００４８】
以上、多波長活性化のために神経プローブに組み込まれる多光源の好ましい実施形態（例示であることを意図しており、限定的であることを意図していない）について説明したが、上記の教示に照らして当業者は変更および変形を加えることができることに留意されたい。したがって、開示した特定の実施形態には、添付の特許請求の範囲に概要を示す本発明の範囲内の変更を加えることができることを理解されたい。
【図１】
2021511100.tif 000003
【図２】
2021511100.tif 000004
【図３】
2021511100.tif 000005
【図４】
2021511100.tif 000006
【図５】
2021511100.tif 000007
【国際調査報告】
2021511100.tif 000008
2021511100.tif 000009